(57)【要約】【課題】袖の製図やサイズの修正を容易に行うことができる袖山の型紙１０を提供する。【解決手段】前袖ぐり線１１および後袖ぐり線１２が、滑らかな曲線から成り、袖山を形成するよう設けられている。前袖ぐり線１１および後袖ぐり線１２は、袖山の頂点１６で互いに滑らかに接続している。肩山点１３が、前袖ぐり線１１上に、袖山の頂点１６から所定の距離の位置に設けられている。脇線０点１４が、袖山の中心線１７上に、袖山の頂点１６から袖口側に所定の距離の位置に設けられている。１対の袖下線分１５が、前袖ぐり線１１および後袖ぐり線１２に対してそれぞれ直角に交わるよう設けられている。【選択図】図１
0003119370.tif 000002
【実用新案登録請求の範囲】
【請求項１】
前袖ぐり線および後袖ぐり線で形成される袖山の型紙であって、
前記前袖ぐり線上に、前記袖山の頂点から所定の距離の位置に設けられた肩山点と、
前記袖山の中心線上に、前記袖山の頂点から袖口側に所定の距離の位置に設けられた脇線０点と、
前記前袖ぐり線および前記後袖ぐり線に対してそれぞれ直角に交わるよう設けられた１対の袖下線分とを有することを、
特徴とする袖山の型紙。
【考案の詳細な説明】
【技術分野】
【０００１】
本考案は、袖を製図するのに使用される袖山の型紙に関する。
【背景技術】
【０００２】
一般的に、衣服の袖などの部分を製図する場合、原型や型紙が使用されている。しかし、原型や型紙は標準のサイズで作成されているため、サイズを変更するときには、原型や型紙から修正しながら製図する必要がある。この修正する作業は、初心者等にとっては非常に困難であり、製図を間違える危険性があるという問題があった。
【０００３】
この問題を解決するために、裁縫用定規が提案されている（特許文献１参照）。この裁縫用定規は、袖などのサイズを容易に修正できるだけでなく、原型や型紙を作成するのにも使用でき、初心者のみならず熟練者にとっても非常に便利なものである。
【０００４】
【特許文献１】意匠登録第８７０１２２号公報
【考案の開示】
【考案が解決しようとする課題】
【０００５】
しかしながら、特許文献１記載の裁縫用定規では、袖を製図したり、サイズを修正したりするのに時間や手間がかかるという課題があった。
【０００６】
本考案は、このような従来の課題に着目してなされたもので、袖の製図やサイズの修正を容易に行うことができる袖山の型紙を提供することを目的とする。
【課題を解決するための手段】
【０００７】
上記目的を達成するために、本考案に係る袖山の型紙は、前袖ぐり線および後袖ぐり線で形成される袖山の型紙であって、前記前袖ぐり線上に、前記袖山の頂点から所定の距離の位置に設けられた肩山点と、前記袖山の中心線上に、前記袖山の頂点から袖口側に所定の距離の位置に設けられた脇線０点と、前記前袖ぐり線および前記後袖ぐり線に対してそれぞれ直角に交わるよう設けられた１対の袖下線分とを有することを、特徴とする。
【０００８】
本考案に係る袖山の型紙は、袖を製図するのに使用される。１対の袖下線分が、前袖ぐり線および後袖ぐり線に対してそれぞれ直角に交わるよう設けられているため、各袖下線分を袖口側に延長することにより、前袖下線および後袖下線を容易に引くことができる。また、その前袖下線および後袖下線を基準にして、前袖下線および後袖下線に対してほぼ直角に袖口線を引くことができる。こうして、本考案に係る袖山の型紙は、前袖ぐり線、後袖ぐり線、前袖下線、後袖下線および袖口線を容易に引くことができるため、袖の製図が容易である。なお、前袖下線および後袖下線は、裁縫用定規により滑らかに引かれるのが好ましい。
【０００９】
また、袖山の中心線上に、袖山の頂点から袖口側に所定の距離の位置に設けられた脇線０点を移動させることにより、容易に任意のサイズに修正することができる。前袖ぐり線上に、袖山の頂点から所定の距離の位置に設けられた肩山点により、袖を前身頃および後身頃に容易に取り付けることができる。なお、具体的な一例では、肩山点は、袖山の頂点から１ｃｍの距離の位置に設けられている。
【考案の効果】
【００１０】
本考案によれば、袖の製図やサイズの修正を容易に行うことができる袖山の型紙を提供することができる。
【考案を実施するための最良の形態】
【００１１】
以下、図面に基づき本考案の実施の形態について説明する。
図１は、本考案の実施の形態の袖山の型紙を示している。
図１に示すように、袖山の型紙１０は、一枚の厚紙から成っている。但し、型紙１０は、紙以外の材質から成っていてもよい。袖山の型紙１０は、前袖ぐり線１１と後袖ぐり線１２と肩山点１３と脇線０点１４と１対の袖下線分１５とを有している。各線１１，１２や各点１３，１４、線分１５は、型紙１０に印刷等で表示されている。
【００１２】
前袖ぐり線１１および後袖ぐり線１２は、滑らかな曲線から成り、袖山を形成するよう設けられている。前袖ぐり線１１および後袖ぐり線１２は、袖山の頂点１６で互いに滑らかに接続している。
肩山点１３は、前袖ぐり線１１上に、袖山の頂点１６から所定の距離の位置に設けられている。肩山点１３は、前袖ぐり線１１上の、前身頃と後身頃との境目を表す点である。なお、具体的には、肩山点１３は、袖山の頂点１６から１ｃｍの距離の位置に設けられている。
【００１３】
脇線０点１４は、袖山の中心線１７上に、袖山の頂点１６から袖口側に所定の距離の位置に設けられている。なお、具体的には、脇線０点１４は、袖山の頂点１６から０．７ｃｍの距離の位置に設けられている。
各袖下線分１５は、前袖ぐり線１１および後袖ぐり線１２の袖山の頂点１６と反対側の端点１１ａ，１２ａに、前袖ぐり線１１および後袖ぐり線１２に対してそれぞれ直角に交わるよう設けられている。
【００１４】
次に、作用について説明する。
袖山の型紙１０は、袖を製図するのに使用される。図２に示すように、袖を製図するには、まず、袖山の型紙１０に沿って前袖ぐり線１および後袖ぐり線２を引く。各袖下線分１５を袖口側に延長するようにして、前袖下線３および後袖下線４を引き、作成する袖の長さに合わせて、前袖下線３および後袖下線４に対してほぼ直角に袖口線５を引く。
【００１５】
このように、各袖下線分１５が、前袖ぐり線１１および後袖ぐり線１２に対してそれぞれ直角に交わるよう設けられているため、各袖下線分１５を袖口側に延長することにより、前袖下線３および後袖下線４を容易に引くことができる。また、その前袖下線３および後袖下線４を基準にして、前袖下線３および後袖下線４に対してほぼ直角に袖口線５を引くことができる。こうして、袖山の型紙１０は、前袖ぐり線１、後袖ぐり線２、前袖下線３、後袖下線４および袖口線５を容易に引くことができるため、袖の製図が容易である。
【００１６】
袖山の中心線１７上に、袖山の頂点１６から袖口側に所定の距離の位置に設けられた脇線０点１４を移動させることにより、容易に任意のサイズに修正することができる。前袖ぐり線１１上に、袖山の頂点１６から所定の距離の位置に設けられた肩山点１３により、袖を前身頃および後身頃に容易に取り付けることができる。また、具体的な一例では、袖山の中心線の延長線６と袖口線５との交点７から前袖下線側に１．５ｃｍの位置を通るよう布目線８を引くとよい。布目線８は、裁断時に布目に合わせるための線である。これにより、袖が、前方の運動に自然に対応するようにすることができる。
【００１７】
なお、袖山の型紙１０は、図３に示す裁縫用定規５０を使用することにより、袖山の高さや幅を自由に製図することができるため、サイズやデザインを容易に修正することができる。また、裁縫用定規５０により、前袖下線３および後袖下線４を滑らかに引くことができる。
【図面の簡単な説明】
【００１８】
【図１】本考案の実施の形態の袖山の型紙を示す平面図である。
【図２】図１に示す袖山の型紙を使用して作成された袖の製図である。
【図３】従来の裁縫用定規を示す平面図である。
【符号の説明】
【００１９】
３    前袖下線
４    後袖下線
５    袖口線
８    布目線
１０  袖山の型紙
１１  前袖ぐり線
１２  後袖ぐり線
１３  肩山点
１４  脇線０点
１５  袖下線分
１６  袖山の頂点
１７  袖山の中心線
【図１】
0003119370.tif 000003
【図２】
0003119370.tif 000004
【図３】
0003119370.tif 000005